(57)【要約】【課題】ディスク挿入口が露出した状態でその内部の回転駆動部が動作していると、別のディスクが誤挿入されたときにディスクを損傷する危険性がある。【解決手段】機器本体２には、上段に音楽ＣＤに対応した回転駆動部８ａとディスク挿入口５ａが設けられ、下段にナビゲーション用ＤＶＤに対応した回転駆動部８ｂとディスク挿入口５ｂが設けられている。可動パネル２０が閉鎖位置から前記ディスク挿入口５ａのみを露出させる位置まで突出した場合、回転駆動部８ｂの動作は停止しない。別の操作によって、ディスク挿入口５ｂが露出する開放位置まで可動パネル２０が動作させられると、回転駆動部８ｂの動作が停止させられる。【選択図】    図４
2005032342.tif 000002
【特許請求の範囲】
【請求項１】
機器本体の前面に設けられたディスク挿入口と、前記機器本体内に設けられて前記ディスク挿入口から挿入されたディスクを駆動する回転駆動部と、前記前面に設置されて操作部材と表示部材の少なくとも一方を有するパネル面が設けられた可動パネルと、前記可動パネルを前記ディスク挿入口を閉じる閉鎖姿勢からその下端が前方へ突出する突出姿勢に向けて移動させる可動パネル開閉手段とを有するディスク装置において、
前記可動パネルが前記閉鎖姿勢から前記突出姿勢に至る間、前記パネル面は前向き、前方斜め上向き、または上向きのいずれかの姿勢となり、
前記回転駆動部でディスクが駆動されている状態で、前記可動パネルが前記閉鎖姿勢から前記突出姿勢に向けて動作し、前記ディスク挿入口が露出したときに前記回転駆動部の動作を停止させる制御が行われることを特徴とするディスク装置。
【請求項２】
前記可動パネルが前記閉鎖姿勢から前記突出姿勢に向けて移動する際に、前記ディスク挿入口が露出する前の姿勢では、前記回転駆動部の動作を停止させず、前記可動パネルが前記ディスク挿入口を露出させる姿勢に至った時点あるいはその直前に前記回転駆動部を停止させる制御が行われる請求項１記載のディスク装置。
【請求項３】
前記可動パネルの姿勢角度を検出する検出手段が設けられている請求項２記載のディスク装置。
【請求項４】
前記可動パネルの姿勢を設定する操作部が設けられており、前記操作部において、可動パネルをディスク挿入口を露出させる姿勢まで移動させる操作が行われたときに、この操作が行われた時点で回転駆動部を停止させる制御が行われる請求項１記載のディスク装置。
【請求項５】
前記前面に複数のディスク挿入口が設けられ、前記機器本体の内部に、それぞれのディスク挿入口に対向する回転駆動部が複数設けられており、前記可動パネルは、複数のディスク挿入口を順番に露出させていくようにその姿勢を段階的に設定可能であり、
前記回転駆動部でディスクを駆動している状態で、その回転駆動部に対向するディスク挿入口が露出したときにその回転駆動部の動作を停止させ、露出していないディスク挿入口に対向している回転駆動部では、ディスクの駆動を可能とする制御が行われる請求項１ないし４のいずれかに記載のディスク装置。
【請求項６】
前記前面に複数のディスク挿入口が設けられ、前記機器本体の内部に、それぞれのディスク挿入口に対向する回転駆動部が複数設けられており、前記可動パネルは、複数のディスク挿入口を順番に露出させていくようにその姿勢を段階的に設定可能で、
それぞれの回転駆動部は、第１のディスクと第２のディスクのいずれか一方のみを駆動可能であり、あるいは第１のディスクと第２のディスクのいずれであっても駆動可能であり、
回転駆動部に第１のディスクが装填されて駆動されている状態で、その回転駆動部に対向するディスク挿入口が露出されても第１のディスクの駆動を停止させず、回転駆動部に第２のディスクが装填されて駆動されている状態で、その回転駆動部に対向するディスク挿入口が露出されたときに第２のディスクの駆動を停止させる制御が行われる請求項１ないし４のいずれかに記載のディスク装置。
【請求項７】
前記可動パネルが全てのディスク挿入口を開放させる姿勢となったときには、全ての回転駆動部を停止させる制御が行われる請求項６記載のディスク装置。
【請求項８】
前記前面に複数のディスク挿入口が設けられ、前記機器本体の内部に、それぞれのディスク挿入口に対向する回転駆動部が複数設けられており、前記可動パネルは、複数のディスク挿入口を順番に露出させていくようにその姿勢を段階的に設定可能で、
それぞれの回転駆動部は、第１のディスクと第２のディスクのいずれか一方のみを駆動可能であり、あるいは第１のディスクと第２のディスクのいずれであっても駆動可能であり、
回転駆動部に第１のディスクが装填されて駆動されている状態で、その回転駆動部に対向するディスク挿入口が露出されても第１のディスクの駆動を停止させず、第２のディスクが装填されている回転駆動部に対向するディスク挿入口が露出されたときに、全ての回転駆動部を停止させる制御が行われる請求項１ないし４のいずれかに記載のディスク装置。
【請求項９】
それぞれの回転駆動部は、第１のディスクと第２のディスクのいずれか一方のみを駆動可能であり、可動パネルが動作して複数のディスク挿入口を順番に露出させていくときに、第１のディスクを挿入する第１のディスク挿入口が、第２のディスクを挿入する第２のディスク挿入口よりも先に露出させられる請求項６ないし８のいずれかに記載のディスク装置。
【請求項１０】
前記第１のディスクは音楽データを記録したものであり、前記第２のディスクは音楽データ以外の処理データが記録されたものである請求項６ないし９のいずれかに記載のディスク装置。
【請求項１１】
前記第１のディスクから読み出された音楽データを記憶するメモリが設けられており、第１のディスクの駆動が停止したときに、前記メモリに記憶された音楽データが再生処理される請求項１０記載のディスク装置。
【発明の詳細な説明】
【０００１】
【発明の属する技術分野】
本発明は、機器本体の前面に可動式のパネルが設けられたディスク装置に係り、特に、ディスクが回転駆動されているときに、別のディスクが二重挿入されることによって生ずるトラブルを防止できるディスク装置に関する。
【０００２】
【従来の技術】
以下の特許文献１および特許文献２には、機器本体の前面に可動パネルが設けられたディスク装置が開示されている。これらのディスク装置の可動パネルは、その表面に操作部材や表示部材を有するパネル面が設けられている。この可動パネルは、機器本体の前面に設けられたディスク挿入口を閉鎖する閉鎖姿勢から、その下端が前方へせり出すことで斜めに突出する突出姿勢に向けて動作可能である。前記閉鎖姿勢では、パネル面が垂直でこのパネル面が前方に向けられており、前記突出姿勢では、前記パネル面が前方斜め上に向けられる。一般にこの種のディスク装置では、可動パネルが前記突出姿勢のときに、前方斜め上向きのパネル面に対して操作部材の操作が可能とされ、また表示部材の表示内容が目視可能となっている。
【０００３】
前記ディスク装置では、機器本体の前面にディスク挿入口が設けられており、可動パネルが前記突出姿勢に移行するときのいずれかの姿勢において、前記ディスク挿入口が露出し、ディスク挿入口からディスクを挿入し、またディスクを排出させることが可能となる。
【０００４】
次に、以下の特許文献３には、機器本体の前面に操作パネルが設けられたディスク装置が開示されている。この操作パネルは、その下端を軸として上端が前方へ倒れるように回動可能である。このディスク装置では、前記操作パネルが前方に倒れるように回動すると、操作部材や表示部材が設けられた操作面が下向きになる。そしてこの状態で機器本体の前面に設けられたディスク挿入口が露出するようになっている。
【０００５】
また前記特許文献３には、前記操作パネルが前方へ倒れるように回動した姿勢になったことを検知し、または操作パネルが取り外されたことを検知する検知手段が設けられており、前記操作パネルが前方へ回動した姿勢になったことまたは取り外されたことが検知されたときに、一定時間経過後に電源が遮断されて機器本体内の機能を停止させる手段が開示されている。
【０００６】
【特許文献１】
特開平１１−２２７２５号公報
【特許文献２】
特開２００２−７４９２３号公報
【特許文献３】
特開２００２−４２４５５号公報
【０００７】
【発明が解決しようとする課題】
前記特許文献３に記載のように、操作パネルがその上端が前方へ倒れるように回動するディスク装置では、操作パネルが前方へ回動した時点で操作部材を有する操作面が下向きになるために、その状態で操作を行うことができない。すなわち、この種のディスク装置において、動作パネルを前方へ倒れるように回動させる操作は、操作者がディスク挿入口からディスクを挿入したりディスクを取り出そうという意思を有して行う場合が多い。そのため、操作者は、操作パネルを前方へ倒す操作を行った時点で、機器本体内にディスクが存在しているか、またはディスク駆動中であるかを認識しているのが通常である。したがって、機器本体の内部でディスクが駆動されている状態で、新たなディスクをディスク挿入口から挿入して、駆動中のディスクまたは新たに挿入しようとするディスクを損傷するというような事故は起こりにくい。
【０００８】
これに対して、特許文献１または特許文献２に記載のように、可動パネルがその下端が前方へせり出す突出姿勢となるディスク装置では、前記下端が前方へ突出してパネル面が斜め上向きとなった状態で、このパネル面に設けられた操作部材を操作したり、または表示画面の表示を目視可能である。したがって、可動パネルが前記突出姿勢のときに、機器本体の前面に設けられたディスク挿入口が露出していると、その時点でディスクが内部に装填されているか否か理解できずに、新たなディスクをディスク挿入口から挿入し、駆動中のディスクと新たに挿入しようとするディスクとが干渉してディスクに損傷を与える危険性がある。
【０００９】
また、カーナビゲーション用のＤＶＤやＣＤ−ＲＯＭなどのように音楽データ以外の処理データが記録されているディスクが機器本体内で駆動されているときには、前記パネル面の操作部材を操作したり表示部材の表示を目視しながら、音楽データが記録されているディスクがディスク挿入口から無意識に挿入される危険性がある。このような場合には、駆動中のＤＶＤやＣＤ−ＲＯＮと新たに挿入しようとするディスクとが干渉して、ディスクを損傷するおそれがある。
【００１０】
特に、機器本体の前面に前記ＤＶＤやＣＤ−ＲＯＭなどを挿入するディスク挿入口と、音楽データを記録したＣＤなどを挿入するディスク挿入口の双方が設けられているディスク装置では、可動パネルが前記突出姿勢のときに、ＤＶＤやＣＤ−ＲＯＭを挿入すべきディスク挿入口に、ＣＤなどが誤って挿入されて、回転駆動中のＤＶＤやＣＤ−ＲＯＭの表面に円形状の傷が付いてしまうという事故が発生しやすい。
【００１１】
本発明は前記従来の課題を解決するものであり、可動パネルがその下端が前方へせり出す突出姿勢となるものにおいて、可動パネルが前記突出姿勢のときに、ディスク挿入口から新たなディスクが挿入されようとした場合でも、既に装填されているディスクが損傷を受けることを防止できるディスク装置を提供することを目的としている。
【００１２】
【課題を解決するための手段】
本発明は、機器本体の前面に設けられたディスク挿入口と、前記機器本体内に設けられて前記ディスク挿入口から挿入されたディスクを駆動する回転駆動部と、前記前面に設置されて操作部材と表示部材の少なくとも一方を有するパネル面が設けられた可動パネルと、前記可動パネルを前記ディスク挿入口を閉じる閉鎖姿勢からその下端が前方へ突出する突出姿勢に向けて移動させる可動パネル開閉手段とを有するディスク装置において、
前記可動パネルが前記閉鎖姿勢から前記突出姿勢に至る間、前記パネル面は前向き、前方斜め上向き、または上向きのいずれかの姿勢となり、
前記回転駆動部でディスクが駆動されている状態で、前記可動パネルが前記閉鎖姿勢から前記突出姿勢に向けて動作し、前記ディスク挿入口が露出したときに前記回転駆動部の動作を停止させる制御が行われることを特徴とするものである。
【００１３】
このディスク装置では、可動パネルが閉鎖姿勢のとき、および突出姿勢のいずれかの時点で停止しているときに、可動パネルに設けられた操作部材が操作可能であり、または表示部材の表示を目視可能である。あるいは、リモートコントロール装置を用いて可動パネルを突出姿勢に設定することができる。可動パネルが突出姿勢のいずれかの角度姿勢で停止するときに、もしその時点でディスク挿入口が露出すると、このディスク挿入口に対向する回転駆動部の動作が停止し、ディスクの回転が停止させられる。よって、このとき新たなディスクが誤って挿入されても、既に装填されているディスクに大きな傷が付いてしまうのを防ぐことができる。
【００１４】
例えば、前記可動パネルが前記閉鎖姿勢から前記突出姿勢に向けて移動する際に、前記ディスク挿入口が露出する前の姿勢では、前記回転駆動部の動作を停止させず、前記可動パネルが前記ディスク挿入口を露出させる姿勢に至った時点あるいはその直前に前記回転駆動部を停止させる制御が可能である。
【００１５】
この場合に、前記可動パネルの姿勢角度を検出する検出手段が設けられ、この検出手段からの検出出力により、ディスク挿入口を露出する状態に可動パネルが移動したか否か認識してもよいし、あるいは可動パネル開閉手段でのモータの動作時間を計測して、ディスク挿入口が露出しているか否かを認識してもよい。
【００１６】
あるいは、前記可動パネルの姿勢を設定する操作部が設けられており、前記操作部において、可動パネルをディスク挿入口を露出させる姿勢まで移動させる操作が行われたときに、この操作が行われた時点で回転駆動部を停止させる制御が行われてもよい。
【００１７】
いずれにせよ、可動パネルが突出姿勢のときに、ディスク挿入口が露出されない限りにおいて、回転駆動部の駆動を継続することが可能であり、可動パネルが、ディスク挿入口を露出させる状態に至った時点で、回転駆動部を停止させる制御が可能である。
【００１８】
すなわち、本発明は、前記前面に複数のディスク挿入口が設けられ、前記機器本体の内部に、それぞれのディスク挿入口に対向する回転駆動部が複数設けられており、前記可動パネルは、複数のディスク挿入口を順番に露出させていくようにその姿勢を段階的に設定可能であり、
前記回転駆動部でディスクを駆動している状態で、その回転駆動部に対向するディスク挿入口が露出したときにその回転駆動部の動作を停止させ、露出していないディスク挿入口に対向している回転駆動部では、ディスクの駆動を可能とする制御が可能である。
【００１９】
また、本発明は、前記前面に複数のディスク挿入口が設けられ、前記機器本体の内部に、それぞれのディスク挿入口に対向する回転駆動部が複数設けられており、前記可動パネルは、複数のディスク挿入口を順番に露出させていくようにその姿勢を段階的に設定可能で、
それぞれの回転駆動部は、第１のディスクと第２のディスクのいずれか一方のみを駆動可能であり、あるいは第１のディスクと第２のディスクのいずれであっても駆動可能であり、
回転駆動部に第１のディスクが装填されて駆動されている状態で、その回転駆動部に対向するディスク挿入口が露出されても第１のディスクの駆動を停止させず、回転駆動部に第２のディスクが装填されて駆動されている状態で、その回転駆動部に対向するディスク挿入口が露出されたときに第２のディスクの駆動を停止させる制御が行われるものであってもよい。
【００２０】
すなわち、第１のディスクは頻繁に交換する性質のもので、データ保護の重要性が低く、第２のディスクは頻繁に交換する性質のものではなく、データ保護の重要性が高い場合に、第２のディスクの保護を優先させることができる。
【００２１】
この場合に、前記可動パネルが全てのディスク挿入口を開放させる姿勢となったときには、全ての回転駆動部を停止させる制御が行われることが好ましい。
【００２２】
また本発明は、前記前面に複数のディスク挿入口が設けられ、前記機器本体の内部に、それぞれのディスク挿入口に対向する回転駆動部が複数設けられており、前記可動パネルは、複数のディスク挿入口を順番に露出させていくようにその姿勢を段階的に設定可能で、
それぞれの回転駆動部は、第１のディスクと第２のディスクのいずれか一方のみを駆動可能であり、あるいは第１のディスクと第２のディスクのいずれであっても駆動可能であり、
回転駆動部に第１のディスクが装填されて駆動されている状態で、その回転駆動部に対向するディスク挿入口が露出されても第１のディスクの駆動を停止させず、第２のディスクが装填されている回転駆動部に対向するディスク挿入口が露出されたときに、全ての回転駆動部を停止させる制御が行われるものであってもよい。
【００２３】
この場合も、第２のディスクの保護を優先できる。
また、それぞれの回転駆動部は、第１のディスクと第２のディスクのいずれか一方のみを駆動可能であり、可動パネルが動作して複数のディスク挿入口を順番に露出させていくときに、第１のディスクを挿入する第１のディスク挿入口が、第２のディスクを挿入する第２のディスク挿入口よりも先に露出させられることが好ましい。
【００２４】
可動パネルが動作していく際に、第２のディスク挿入口が露出する順番を後にすることにより、第２のディスクを保護しやすくなる。
【００２５】
例えば、前記第１のディスクは音楽データを記録したものであり、前記第２のディスクは音楽データ以外の処理データが記録されたものである。
【００２６】
また、前記第１のディスクから読み出された音楽データを記憶するメモリが設けられており、第１のディスクの駆動が停止したときに、前記メモリに記憶された音楽データが再生処理されるものとすることができる。
【００２７】
前記メモリを設け、第１のディスクから音楽データを所定データ量だけ先読みしてメモリに記憶し、このメモリーに記憶されたデータを順番に再生する制御を行っていると、第１のディスク挿入口が露出して第１のディスクの駆動が停止したときに、音楽再生が急に停止するのを防止できる。
【００２８】
【発明の実施の形態】
図１は本発明のディスク装置の実施の形態を示すものであり、可動パネルが閉鎖姿勢にある状態を示す正面図、図２は図１のＩＩ−ＩＩ線の切断断面図、図３は前記ディスク装置の可動パネルが突出姿勢となった状態を示す正面図、図４は図３のＩＶ−ＩＶ線の切断断面図であり、可動パネルの姿勢の変化を示す。図５はディスク装置の制御回路を示すブロック図である。図６と図７は機器本体の内部構造の説明図である。
【００２９】
このディスク装置１は、２ＤＩＮサイズの機器本体２を有している。機器本体２は、金属製の筐体２ａとこの筐体２ａの前部に取付けられた合成樹脂製の固定パネル２ｂとを有している。この固定パネル２ｂの前面が、機器本体２の前面２Ａである。前記筐体２ａは、例えば自動車の車室内のダッシュボードやインストルメントパネル内に埋設され、前記前面２Ａはダッシュボードやインストルメントパネルの表面よりもやや奥側に位置する。
【００３０】
前記機器本体２の前面２Ａに可動パネル２０が設けられている。可動パネル２０は上端２０Ａ、下端２０Ｂ、左側端２０Ｄおよび右側端２０Ｅを有する長方形状である。
【００３１】
前記可動パネル２０にはパネル面２０ａが設けられている。図２では、前記可動パネル２０が、前記前面２Ａのほぼ全面を覆う閉鎖姿勢となっている。この閉鎖姿勢では、前記パネル面２０ａが前記前面２Ａとほぼ平行であり、このときパネル面２０ａは前方へ向けられている。このパネル面２０ａには、操作部材と表示部材の少なくとも一方が設けられているが、この実施の形態では、前記パネル面２０ａに、液晶パネルなどの薄型の表示パネル３、および押圧式や回転式などの各種操作部材４が設けられている。
【００３２】
図３に示すように、前記機器本体２の前面２Ａには、幅方向（Ｘ方向）に延びるスリット状の第１のディスク挿入口５ａと第２のディスク挿入口５ｂとが、Ｚ方向に互いに所定間隔を離れた状態で平行に形成されている。Ｚ１−Ｚ２方向を上下方向としたときに、前記第１のディスク挿入口５ａが上側に位置し、第２のディスク挿入口５ｂが下側に位置している。この実施の形態では、両ディスク挿入口５ａと５ｂが、前記前面２Ａにおいて、Ｚ方向寸法を二分する中心よりもややＺ１側に偏った位置に設けられている。
【００３３】
図２と図４に示すように、前記機器本体２の内部には、第１の駆動ユニット６と第２の駆動ユニット７が設けられており、第１の駆動ユニット６には第１のディスク挿入口５ａから挿入されたディスクを回転駆動する第１の回転駆動部８ａが設けられ、第２の駆動ユニット７には第２のディスク挿入口５ｂから挿入されたディスクを回転駆動する第２の回転駆動部８ｂが設けられている。第１の回転駆動部８ａと第２の回転駆動部８ｂはディスクの中心穴がクランプされてディスクを回転駆動するものである。前記第１の回転駆動部８ａは第１のディスク挿入口５ａに対向し、第２の回転駆動部８ｂは第２のディスク挿入口５ｂに対向している。
【００３４】
図６は、第１の駆動ユニット６の具体的な構成例の概略構造を示す側面図、図７は前記第１の駆動ユニット６をディスク挿入口５ａ側から見た部分斜視図である。なお、第２の駆動ユニット７の構造も第１の駆動ユニット６とほぼ同じであるため詳しい説明を省略する。
【００３５】
第１の駆動ユニット６は、シャーシ１０内に、ターンテーブルである前記第１の回転駆動部８ａと、この回転駆動部８ａを駆動するスピンドルモータ８ｃが設けられている。またシャーシ１０には、クランプ部材９が設けられている。このクランプ部材９は、クランプアーム９ａと、クランプアーム９ａの先部に回転自在に取り付けられたクランパ９ｂを有している。クランプアーム９ａの基端部はシャーシ１０に回動自在に支持され、トーションコイルばね１１によりクランプアーム９ａがディスククランプ方向へ付勢されている。シャーシ１０内にはクランプアーム９ａを持上げてクランパ９ｂを回転駆動部８ａから離すクランプ解除機構（図示せず）が設けられている。
【００３６】
前記第１の回転駆動部８ａは、第１のディスク挿入口５ａから挿入されるディスクＤ１の導入経路の下側に配置され、クランパ９ｂは、ディスクＤ１の導入経路の上側に配置されている。前記クランプアーム９ａが持ち上げられた状態で、ディスクＤ１が導入されディスクＤ１の中心穴が回転駆動部８ａ上に対向すると、前記クランプ解除機構によるクランプアーム９ａの持上げが解除され、回転駆動部８ａとクランパ９ｂとでディスクＤ１の中心穴近傍が挟持される。
【００３７】
ディスクＤ１の駆動動作では、スピンドルモータ８ｃによってディスクＤ１が回転駆動され、光ヘッド３０ａ（図５参照）により、ディスクＤ１に記録された信号が再生される。
【００３８】
前記シャーシ１０には、第１のディスク挿入口５ａの内側に対向する搬送ローラ１２が設けられている。図７に示すように前記シャーシ１０の両側面にはそれぞれローラブラケット１３の両側部が軸１４によって回動自在に支持され、前記搬送ローラ１２の軸１２ａの両端部が前記ローラブラケット１３に回転可能に支持されている。ローラブラケット１３がＷ１方向へ回動すると、搬送ローラ１２と対向部材１５との間でディスクＤ１を挟持でき、このときに搬送ローラ１２が回転駆動されて、ディスクＤ１がシャーシ１０内への導入方向と、第１のディスク挿入口５ａから外部へ排出される排出方向とへ搬送される。
【００３９】
図６と図７に示すように、前記ローラブラケット１３には、規制板１３ａが一体に折り曲げられており、この規制板１３ａに保持溝１３ｂが形成されている。図７に示すように、シャーシ１０には軸１６を中心として回動する検知アーム１７が設けられ、この検知アーム１７はスプリング１８により上方から見たときの反時計方向へ付勢されている。そして、検知アーム１７の先部には、検知ピン１９が下向きに設けられている。図７に示す第１の駆動ユニット６の図示右側にも、前記と同様の検知アーム１７が設けられている。そして、前記スプリング１８により、一対の検知アーム１７が互いに接近する方向へ付勢されている。
【００４０】
第１のディスク挿入口５ａからディスクＤ１が挿入されると、ディスクＤ１の外周縁により一対の検知ピン１９と１９が互いに離れるように動作させられ、これにより検知アーム１７が回動する。この回動動作が検出されることにより、第１の駆動ユニット６にディスクＤ１が挿入されたことが検知され、また直径１２ｃｍのディスクと直径８ｃｍのディスクの双方が挿入可能な場合には、前記検知アーム１７の回動角度を検出することにより、ディスクの種別検知が行われる。
【００４１】
ディスクＤ１が回転駆動部８ａに設置されると、ローラブラケット１３がＷ２方向へ回動して搬送ローラ１２がディスクＤ１から離れるが、このとき規制板１３ａの保持溝１３ｂによって検知ピン１９が保持される。すなわち、ディスクが回転駆動部１８ａに装填されていないときには検知ピン１９が移動可能であるが、ディスクが回転駆動部１８ａに装填されると一対の検知ピン１９は動くことができなくなる。
【００４２】
前記のように、回転駆動部８ａによりディスクが駆動されているときに、検知ピン１９が動かないように保持されることにより、ディスク挿入口５ａから新たなディスクが挿入されるのを前記検知ピン１９で阻止できるようになる。しかし、ディスクの外周縁は円形であるため、回転駆動部８ａにディスクが設置されている状態で、新たなディスクがディスク挿入口５ａに押し込まれると、このディスクの外周縁が一対の検知ピン１９と１９との間からシャーシ１０内にわずかに入り込み、このディスクの外周縁が、回転駆動中のディスクＤ１のレーベル面の外周部分と当たって、駆動中のディスクＤ１が損傷を受けるという問題を避けることができない。
【００４３】
このディスク装置には、ＣＤ（Ｃｏｍｐａｃｔ  Ｄｉｓｋ）などの音楽データを記録した第１のディスクＤ１と、ＤＶＤ（Ｄｉｇｉｔａｌ  Ｖｅｒｓａｔｉｌｅ  Ｄｉｓｋ）やＣＤ−ＲＯＭなどのような音楽データ以外のナビゲーションシステム用地図データなどの処理データが記録された第２のディスクＤ２を装填可能である。
【００４４】
よって、第１のディスク（音楽ディスク）Ｄ１は交換の頻度が高く、第２のディスク（地図データディスク）Ｄ２の交換頻度は低い。またディスクの保護という点では価格の高い第２のディスクＤ２を比較的価格の安い第１のディスクＤ１よりも優先すべきである。
【００４５】
本発明では、第１の回転駆動部８ａと第２の回転駆動部８ｂが、それぞれ第１のディスクＤ１と第２のディスクＤ２のいずれであっても共通に駆動できるものであってもよいし、または第１のディスクＤ１のみ、または第２のディスクＤ２のみを駆動するための専用のものであってもよい。
【００４６】
本発明では、第２のディスクＤ２が装填されて駆動されている場合に、この駆動中の第２のディスクＤ２に対向するディスク挿入口が露出されたときに、第２のディスクＤ２の駆動を必ず停止するように制御する。これにより、第２のディスクＤ２の駆動中に、新たなディスクが誤って挿入されて、第２のディスクＤ２が損傷を受けるのを防止できるようにしている。
【００４７】
また第１のディスクＤ１が装填されて駆動されているときに、この駆動中の第１のディスクＤ１に対向するディスク挿入口が露出されたときには、この第１のディスクＤ１は保護の優先度が低いために、ディスクの駆動を停止させなくてもよい。ただし、第１のディスクＤ１に対向するディスク挿入口が露出したときには、この第１のディスクＤ１の駆動も停止させることが好ましい。
【００４８】
図１以下の実施の形態では、第１の駆動ユニット６が、第１のディスクＤ１のみを再生できる専用ユニットであり、第２の駆動ユニット７が、第２のディスクＤ２のみを再生できる専用ユニットである。そして、第１の駆動ユニット６を上側に配置し、第２の駆動ユニット７を下側に配置し、後に説明するように可動パネル２０が閉鎖姿勢から突出姿勢へ移動していく間に、第１の駆動ユニット６に対向する第１のディスク挿入口５ａが先に露出し、第２の駆動ユニット７に対向する第２のディスク挿入口７が後から露出するようにして、第２のディスクＤ２を優先して保護できるようにしている。
【００４９】
前記ディスク装置１では、前記可動パネル２０が、図１および図２に示す閉鎖姿勢から、図３と図４に示す突出姿勢へ向けて移動できるように、可動パネル２０の上端２０Ａ側が固定パネル２ｂの両内側面に上下方向へ移動可能に支持され、且つ可動パネル２０の下端２０Ｂが後述するパネル開閉手段によって前後方向へ移動するようになっている。閉鎖姿勢から突出姿勢へ移行する際には、可動パネル２０は下端２０Ｂが前面２Ａから徐々に離れるように前方へ突出して行き、上端２０Ａが筐体２ａの底部に向かって徐々に下がるように変位していく。
【００５０】
図４において破線および実線で示すように、可動パネル２０は閉鎖姿勢から突出姿勢へ向かう途中の任意の姿勢、または予め決められた段階的な姿勢で停止可能である。突出姿勢の可動パネル２０は、パネル面２０ａが水平方向（Ｙ方向）および垂直方向（Ｚ方向）の双方に対して斜めの向き、あるいは水平方向に沿う向きである。前記斜めの向きのとき（破線で示す姿勢のとき）に、パネル面２０ａは前方斜め上方へ向けられ、前記水平の向きのとき（実線で示す姿勢のとき）にパネル面２０ａは上向きとなる。
【００５１】
図２と図４に示すように、前記筐体２ａ内に、パネル開閉手段（図５参照）として機能するスライド部材２１が設けられている。このスライド部材２１は、開閉用モータ（図５参照）によって、前面２Ａから前方へ突出しまた筐体２ａ内に退行するように駆動される。
【００５２】
図２に示す状態から、スライド部材２１がＹ２方向へ前進すると、スライド部材２１の先端２１ａに回動自在に連結されている可動パネル２０の背面２０ｂの下部が前方へ押し出されて、閉鎖姿勢の可動パネル２０が、下端２０Ｂが前方へ徐々にせり出すように突出姿勢に向けて移動していく。
【００５３】
図４の状態からスライド部材２１がＹ１方向へ後退していくと、可動パネル２０の下端２０Ｂが前面２０Ａに向けて引き込まれ、その結果、可動パネル２０が図２に示す閉鎖姿勢に復帰できる。
【００５４】
図１に示すように、可動パネル２０のパネル面２０ａに設けられた操作部材４は、可動パネル２０を閉鎖姿勢から図４に示す実線の突出姿勢へ移動させるオープンボタン４ａ、可動パネル２０の傾斜角度を任意の位置に設定し、または予め決められた段階ごとに変化させるためのチルトボタン４ｂ、音量を調節する回転式の音量兼パワーボタン４ｃ、ラジオ放送局を選局するためのチューニングボタン４ｄ及びその他のボタンで構成されている。
【００５５】
図２に示すように、筐体２ａの内部に主回路基板２５が設けられ、可動パネル２０内にはパネル回路基板２６が設けられ、主回路基板２５とパネル回路基板２６は、撓みを有して湾曲自在とされたフレキシブルケーブル２７を介して接続されている。
【００５６】
図５は前記ディスク装置１に設けられた制御回路の回路ブロック図である。
制御回路では、前記スライド部材２１（可動パネル開閉手段）を駆動する開閉用モータ２２を回転駆動するモータドライバ３１を有している。また前記可動パネル２０の突出姿勢における傾斜角度を検出する開閉角度検出手段３２が設けられている。前記開閉角度検出手段３２は、可動パネル２０の姿勢角度を直接に検出するセンサなどであってもよいし、または前記スライド部材２１のスライド移動量を検出するセンサなどであってもよい。あるいは前記開閉用モータ２２の動作時間を検出するタイマーであってもよい。
【００５７】
前記第１の駆動ユニット６には、第１のディスクＤ１を駆動するための第１の回転駆動部８ａおよびこれを駆動するスピンドルモータ８ｃが設けられており、第２の駆動ユニット７には、第２のディスクＤ２を駆動するための第２の回転駆動部８ｂおよびこれを駆動するスピンドルモータ８ｄが設けられている。そして、前記スピンドルモータ８ｃとスピンドルモータ８ｄは、モータドライバ３３により個別に駆動制御される。なお、ナビゲーション用の地図データ等がＤＶＤに記録されている第２のディスクＤ２を使用する場合、この第２のディスクＤ２は第１のディスクＤ１よりも高速で回転駆動される。
【００５８】
前記第１の駆動ユニット６には、第１のディスクＤ１から音楽データを読み出す光ヘッド３０ａが設けられている。この光ヘッド３０ａで読み出された信号は、所定の波形処理と信号処理を受けた後にバッファメモリ３４に記憶される。このとき第１のディスクＤ１のデータは光ヘッド３０ａにより音楽再生速度よりも高速に先読みされてバッファメモリ３４に蓄えられる。そしてバッファメモリ３４から引き出された音楽データが再生処理部３５により再生処理されて復調され、スピーカから音楽が発音される。
【００５９】
第２の駆動ユニット７には、第２のディスクＤ２から処理データを読み出す光ヘッド３０ｂが設けられており、この光ヘッド３０ｂで読み出されたデータが再生処理部３５および他の処理回路に与えられて、カーナビゲーションの制御、その他の各種データに基づく制御が行われる。
【００６０】
ＣＰＵおよびメモリなどから構成される制御部３６が設けられ、この制御部３６によって、モータドライバ３１，３３、再生処理部３５、バッファメモリ３４などが制御される。また前記開閉角度検出手段３２からの検出信号、および前記オープンボタン４ａやチルトボタン４ｂなどを操作したときの操作信号は、制御部３６に与えられる。
【００６１】
次に、本発明のディスク装置の動作を説明する。
前記オープンボタン４ａを操作することにより、可動パネル２０を図２に示す閉鎖姿勢から、図４において実線で示す全開の突出姿勢２０に向けて動作させることができる。またチルトボタン４ｂを操作することにより前記閉鎖姿勢から前記全開の突出姿勢に至るまでの間において、可動パネル２０を任意の角度姿勢で停止させることができ、あるいは予め決められた１０段階などの段階の位置にそれぞれ停止させることができる。そして、可動パネル２０がどのような姿勢であっても、前記操作部材４を操作することができ、あるいはリモートコントローラを用いて遠隔操作が可能である。またどの姿勢であっても表示部材３で表示される表示内容を目視できる。
【００６２】
可動パネル２０が図２に示す閉鎖姿勢から移動していき、図４において破線で示す突出姿勢に至るまでのいずれかの傾斜姿勢で可動パネル２０を停止させたときには、第１のディスク挿入口５ａと第２のディスク挿入口５ｂの双方が閉鎖された状態である。そして図４で破線で示す傾斜姿勢で停止させると、第１のディスク挿入口５ａが露出するが、第２のディスク挿入口５ｂは露出しない。さらに可動パネル２０を移動させて、図４に実線で示す全開の突出姿勢、またはその直前の傾斜姿勢で可動パネル２０を停止させると、第１のディスク挿入口５ａと第２のディスク挿入口５ｂの双方が露出される。
【００６３】
すなわち、可動パネル２０が図２に示す閉鎖姿勢から突出姿勢に移行していくときに、最初に第１のディスク挿入口５ａが露出し、その次に第２のディスク挿入口５ｂが露出するように、露出するディスク挿入口が順番に選択されていく。これはディスク挿入口が３個以上存在している場合も同様である。
【００６４】
そして、可動パネル２０が傾斜姿勢となって、ディスク挿入口が露出したときには、その露出したディスク挿入口の内方に位置する回転駆動部によるディスクの回転駆動を停止させる制御が行われる。つまりこの種のディスク装置では、可動パネル２０が閉鎖姿勢から全開の突出姿勢に至るまで、パネル面２０ａが前向き、前方斜め上向き、あるいは上向きとなるため、操作者は可動パネル２０がどの姿勢であっても、操作部材４を操作可能な状態である。そのため、パネル面２０ａを操作しながら、あるいは表示部材３の表示内容を目視しながら、そのときに露出するディスク挿入口から新たなディスクを無意識に挿入することが比較的多く予測される。このようなときに駆動中のディスクを停止させることにより、既に回転駆動部に装填されているディスクと新たに挿入されたディスクとが干渉しても、既に装填されているディスクに円形状の傷がつくことを防止できる。
【００６５】
さらに詳細に説明すると、この実施の形態では以下のようなディスクの停止制御が可能である。
【００６６】
（第１の制御形態）
可動パネル２０が、図２に示す閉鎖姿勢にあるとき、または図２の閉鎖姿勢から図４に示す破線の姿勢に至るまでの任意の姿勢にあるとき、このときいずれのディスク挿入口も露出していないため、第１の回転駆動部８ａと第２の回転駆動部８ｂを停止させる制御を行わない。
【００６７】
そして、チルトボタン４ｂの複数回の操作により可動パネル２０が図４で破線で示す姿勢となり、第１のディスク挿入口５ａが露出したときに、第１の回転駆動部８ａを停止させる。ただしこのとき第２のディスク挿入口５ｂは露出していないため、第２の回転駆動部８ｂを停止させる制御は行わない。
【００６８】
さらにチルトボタン４ｂまたはオープンボタン４ａを操作すると、可動パネル２０が移動して、第２のディスク挿入口５ｂが露出した時点で、第２の回転駆動部８ｂを停止させる。
【００６９】
この制御を行うことにより、駆動中の第１のディスクＤ１と駆動中の第２のディスクＤ２の双方を保護できる。
【００７０】
（第２の制御形態）
可動パネル２０が、図２に示す閉鎖姿勢にあるとき、または図２の閉鎖姿勢から図４に示す破線の姿勢に至るまでの任意の姿勢にあるとき、このときいずれのディスク挿入口も露出していないため、第１の回転駆動部８ａと第２の回転駆動部８ｂを停止させる制御を行わない。さらに、可動パネル２０が図４で破線で示す姿勢となり、第１のディスク挿入口５ａが露出したときにも、第１の回転駆動部８ａを停止させる制御は行わない。
【００７１】
そして、可動パネル２０が移動して、第２のディスク挿入口５ｂが露出した時点で、第２の回転駆動部８ｂのみを停止させる。ただし、このとき第１のディスクＤ１の回転は停止させない。
【００７２】
この制御では、回転速度が比較的遅く、または価格が安いという理由から、保護の優先度の低い第１のディスクＤ１は、これに対向するディスク挿入口５ａが露出しても停止制御は行わず、回転速度が高速で且つ価格も高いために保護の優先度の高い第２のディスクＤ２に対向するディスク挿入口５ｂが露出したときに、第２のディスクＤ２のみの回転を停止するものであり、第２のディスクＤ２のみを保護する形態である。
【００７３】
なお、この場合に、可動パネル２０が図４において実線で示す全開の突出姿勢となった時点で、第１のディスクＤ１と第２のディスクＤ２の双方の回転を停止させてもよい。可動パネル２０が図４における実線で示す全開の突出姿勢とされるのは、ユーザーがオープンボタン４ａを押したときであり、次に第１と第２のいずれかのディスクが交換される操作が行われる可能性が高いため、このように両ディスクＤ１，Ｄ２を停止させることで、ディスクの排出動作が短時間で行えるようになる。
【００７４】
（第３の制御形態）
可動パネル２０が、図２に示す閉鎖姿勢にあるとき、または図２の閉鎖姿勢から図４に示す破線の姿勢に至るまでの任意の姿勢にあるとき、このときいずれのディスク挿入口も露出していないため、第１の回転駆動部８ａと第２の回転駆動部８ｂを停止させる制御を行わない。さらに、可動パネル２０が図４で破線で示す姿勢となり、第１のディスク挿入口５ａが露出したときにも、第１の回転駆動部８ａを停止させる制御は行わない。
【００７５】
そして、可動パネル２０が移動して、第２のディスク挿入口５ｂが露出した時点で、第１の回転駆動部８ａと第２の回転駆動部８ｂの双方を停止させる。
【００７６】
この制御では、保護の優先度の低い第１のディスクＤ１は、これに対向するディスク挿入口５ａが露出しても停止制御は行わず、保護の優先度の高い第２のディスクＤ２に対向するディスク挿入口５ｂが露出したときに、第１のディスクＤ１と第２のディスクＤ２の双方の回転を停止するものであり、第２のディスクＤ２を優先して保護する形態である。
【００７７】
次に、可動パネル２０が移動してディスク挿入口が露出したときに、この露出したディスク挿入口に対向する回転駆動部を停止させる制御での停止タイミングは以下のように設定される。
【００７８】
第１の設定では、図５に示す開閉角度検出手段３２の検出出力に基づいて制御部３６がモータドライバ３３に停止指令を与える。例えば図４において破線で示すように、可動パネル２０がディスク挿入口５ａを露出させる姿勢に至ったちょうどそのときに回転駆動部を停止させてもよいし、可動パネル２０がディスク挿入口５ａを露出させる直前の姿勢に至ったときに回転駆動部を停止させてもよい。
【００７９】
第２の設定では、可動パネル２０の開閉操作のための各種ボタン操作が行われたときに、制御部３６がモータドライバ３３に停止指令を与える。例えば、可動パネル２０が図４において破線で示す姿勢で停止しているときに、チルトボタン４ｂあるいはオープンボタン４ａを押して、可動パネル２０をディスク挿入口５ｂを露出させる位置まで移動させる操作を行ったときに、その操作信号が得られた時点で第２の回転駆動部８ｂを停止する制御が行われる。
【００８０】
このように露出したディスク挿入口の内方に位置する回転駆動部を停止させる制御を行うと、図７に示す保持状態の検出ピン１９にディスクの外周縁が当たることで一応ディスク二重挿入を防止できる構造になっている場合に、検出ピン１９と検出ピン１９との間にディスクが強く押し込まれ、押し込まれたディスクの先部が既に回転駆動部に装填されているディスクに当たったとしても、このディスクは回転していないため例えばレーベル面に円形状の深い傷が付いてしまうのを防止できる。
【００８１】
さらには、前記検出ピン１９が設けられていない駆動ユニットを有する機器の場合にも、前記のようなディスクの保護制御は有効である。
【００８２】
なお、この実施の形態では、第１のディスク挿入口５ａが露出したときにのみ第１の駆動ユニット６内からの第１のディスクＤ１の排出が可能となる。同様に、第２のディスク挿入口５ｂが露出したときにのみ第２の駆動ユニット７内からの第２のディスクＤ２の排出が可能となる。すなわち、いずれかのディスク挿入口が露出したときに、そのディスク挿入口に対向する駆動ユニットに対してのみディスクの排出操作が可能になる。
【００８３】
ディスクの排出操作が行われると、図６に示す前記クランプ部材９がクランプ姿勢からクランプ解除姿勢に持ち上げられる。そして、ローラブラケット１３がＷ１方向へ回動し、ディスクが搬送ローラ１２と対向部材１５とで挟持され、搬送ローラ１２の回転力で、ディスクがディスク挿入口に向けて排出される。
【００８４】
なお、この実施の形態では、上段側に音楽データを記録した第１のディスクＤ１を駆動する第１の回転駆動部８ａが設けられているが、これに対向する第１のディスク挿入口５ａが露出して第１のディスクＤ１の駆動が停止したときには、先読みしてバッファメモリ３４に記憶されていた音楽データが順に引き出されて再生処理されるために、ディスクＤ１の駆動停止時に急に音楽の再生が停止することがない。
【００８５】
そして、バッファメモリ３４内の音楽データが引き出されている途中で、可動パネル２０が動いて第１のディスク挿入口５ａが閉じられたら、直ちに第１のディスクＤ１の駆動が再開され、バッファメモリ３４に記憶されていた音楽データの続きのデータがディスクＤ１から読み出される。この場合には、音楽が途切れるのを防止できるようになる。
【００８６】
【発明の効果】
以上説明した本発明では、パネル面が前向き、前方斜め上向き、上向きのいずれかの姿勢となる可動パネルが動作して、ディスク挿入口が露出したときに、このディスク挿入口の内方に装填されているディスクを停止させているため、ディスク挿入口から新たなディスクが挿入されたとしても、既に装填されているディスクを保護できる。
【図面の簡単な説明】
【図１】本発明のディスク装置の実施の形態を示すものであり、可動パネルが閉鎖姿勢の状態を示す正面図、
【図２】図１のＩＩ−ＩＩ線の切断断面図、
【図３】ディスク装置の可動パネルが全開の突出姿勢となった状態を示す正面図、
【図４】図３のＩＶ−ＩＶ線の切断断面図、
【図５】ディスク装置に設けられた制御回路の回路ブロック図、
【図６】駆動ユニットを示す側面図、
【図７】駆動ユニットをディスク挿入口側から示す一部拡大斜視図、
【符号の説明】
１  ディスク装置
２  機器本体
２ａ  筐体
２ｂ  固定パネル
２Ａ  前面
３  表示部材
４  操作部材
４ａ  オープンボタン
４ｂ  チルトボタン
５ａ  第１のディスク挿入口
５ｂ  第２のディスク挿入口
６  第１の駆動ユニット
７  第２の駆動ユニット
８ａ  第１の回転駆動部
８ｂ  第２の回転駆動部
９  クランプ部材
１２  搬送ローラ
１３  ローラブラケット
１９  検出ピン
２０  可動パネル
２０ａ  パネル面
２１  可動パネル開閉手段
３２  開閉角度検出手段
３６  制御部
【図１】
2005032342.tif 000003
【図２】
2005032342.tif 000004
【図３】
2005032342.tif 000005
【図４】
2005032342.tif 000006
【図５】
2005032342.tif 000007
【図６】
2005032342.tif 000008
【図７】
2005032342.tif 000009